(57)【要約】【課題】  防虫網戸の横線が網目における庇の機能を果たして直射日光が室内に差し込み難い構造にできる。【解決手段】  防虫網戸１における防虫網２の横線３の直径Ａを上下の横線３間の間隔の寸法Ｂの０．３〜０．５倍に設定する。【選択図】        図１
2006132101.tif 000002
【特許請求の範囲】
【請求項１】
防虫網戸における防虫網の横線の直径を上下の横線間の間隔の寸法の０．３〜０．５倍に設定して成ることを特徴とする日射遮蔽防虫網戸。
【請求項２】
防虫網の縦線の直径を横線の直径よりも小さくし、横線間の間隔よりも縦線間の間隔を長く設定して成ることを特徴とする請求項１記載の日射遮蔽防虫網戸。
【発明の詳細な説明】
【技術分野】
【０００１】
本発明は、建物の窓のような開口部に取付けられる防虫網戸において、日射を遮蔽する技術に関するものである。
【背景技術】
【０００２】
建物の開口部に取付けられる防虫網戸は、通常夏期に屋外から屋内への虫の侵入を防止しながら、同時に防虫網戸を介して通気ができるようにするために使用される。
【０００３】
この防虫網戸の防虫網は、同じ直径の縦線と横線を編んで構成されるもので、上下に隣合う横線と、左右に隣合う縦線に囲まれた隙間部分（つまり網目５）の大きさは、通気量を確保しながら、同時に虫の侵入を防止することができる大きさに設定してある。例えば、図４、図５において、横線３の直径Ａ、縦線４の直径Ｃがそれぞれ０．２６ｍｍで、横線３のピッチ（横線３の中心から隣合う横線３の中心間の寸法Ｅ）及び縦線４のピッチ（縦線４の中心から隣合う縦線４の中心間の寸法Ｆ）がいずれも１．４１１ｍｍで、横線３間の間隔の寸法Ｂ及び縦線４間の間隔Ｄの寸法がいずれも１．１５ｍｍに設定してあり、これにより１インチ内に１８本の縦線４、横線３が設けられ、ＪＩＳＡ４７０９に規定された網戸における１インチ内の本数を満たしている。そして、上下に隣合う横線３と、左右に隣合う縦線４に囲まれた隙間部分（網目５）の面積は１．１５ｍｍ×１．１５ｍｍ≒１．３ｍｍ２である。また、上記横線３の径Ａと、横線３間の間隔の寸法Ｂとの関係は、上記した従来の防虫網戸においては、Ａ＝０．２２６Ｂである。
【０００４】
上記のような構成の従来例にあっては、図４に示すように、夏期に東南〜南〜南西の方位において、防虫網戸の防虫網２の上記網目５部分から直射日光Ｘが室内に差し込むようになっている。このように、従来の防虫網戸は、夏期において防虫網２の網目５を通して外気を取り込んで室内において涼風感を得るようにするものであるにもかかわらず、防虫網２の網目５から室内に直射日光Ｘが差し込み、室内温度が高くなって、室内環境を悪くしてしまうという問題がある。
【０００５】
一方、防虫網自体を、光反射率の高い明るい材料で形成し、直射日光の熱が室内に入るのを少なくするようにしたものが特許文献１により知られており、また、防虫網の屋外側の面に光りの反射層を設けるようにしたものが特許文献２により知られている。
【０００６】
ところが、これらの特許文献１や特許文献２においては、防虫網戸の防虫網において縦線や横線に当たった直射日光を反射することができるが、夏期に東南〜南〜南西の方位において、直射日光が網目を通して室内に差し込むことを防止することはできず、このものにおいても夏期に防虫網戸の網目から室内に直射日光が差し込んで、室内に熱が取り込まれ、室内環境を悪くしてしまうという問題が依然として残っている。
【特許文献１】実開昭５８−１２３１９５号公報
【特許文献２】実開平３−１０３５８９号公報
【発明の開示】
【発明が解決しようとする課題】
【０００７】
本発明は上記の従来の問題点に鑑みて発明したものであって、防虫網の横線が網目に対する庇の機能を果たして直射日光が室内に差し込み難い構造にできる日射遮蔽防虫網戸を提供することを課題とするものである。
【課題を解決するための手段】
【０００８】
上記課題を解決するために本発明に係る日射遮蔽防虫網戸は、防虫網戸１における防虫網２の横線３の直径Ａを上下の横線３間の間隔の寸法Ｂの０．３〜０．５倍に設定して成ることを特徴とするものである。
【０００９】
このような構成とすることで、防虫機能や通気機能を有する防虫網戸１の防虫網２において、夏期に東南〜南〜南西の方位で、防虫網戸１における防虫網２の横線３が網目５に対する庇の機能を果たして、夏期に直射日光Ｘが室内に差し込まないようにできる。また、冬期には、太陽高度が低いので透光性のサッシ戸７を閉じた状態で、サッシ戸越しに防虫網戸１の網目５から直射日光Ｘを取得して室内に熱を取り入れることができる。
【００１０】
また、防虫網２の縦線４の直径Ｃを横線３の直径Ａよりも小さくし、横線３間の間隔Ｂよりも縦線４間の間隔Ｄを長く設定することが好ましい。
【００１１】
このような構成とすることで、横線３の直径Ａを上下の横線３間の間隔の寸法Ｂの０．３〜０．５倍に設定して上記のように夏期に直射日光Ｘが室内に差し込まないようにしたにもかかわらず、通気に必要な網目５の面積を確保することができて、防虫網２を介して十分な通気量が得られる。
【発明の効果】
【００１２】
本発明は、防虫、通気性能を確保しながら、夏期に網目から直射日光が室内に差し込まないようにでき、室内に日射による熱が入らず、冬期には透光性のサッシ戸を閉じた状態で
サッシ戸越しに防虫網戸の網目から直射日光を取得して室内に熱を取り入れることができる。
【発明を実施するための最良の形態】
【００１３】
以下、本発明を添付図面に示す実施形態に基いて説明する。
【００１４】
防虫網戸１は図３に示すように、建物の開口部６に取付けてあり、建物の開口部６には透光性を有するサッシ戸７が開閉自在に取付けてあり、サッシ戸７を開いた場合に該サッシ戸７が開となった部分に防虫網戸１を位置させることで、防虫網戸１の防虫網２により屋外から室内に虫が侵入しないようにすると共に防虫網２の網目５を通して通気できるようになっている。
【００１５】
防虫網戸１は網戸枠８に防虫網２を張設して構成してあり、防虫網２は図２に示すように多数の横線３と多数の縦線４とを編んで構成してある。
【００１６】
そして、本発明においては、図１、図２に示すように、防虫網２の横線３の直径Ａを上下の横線３間の間隔の寸法Ｂの０．３〜０．５倍に設定してある。つまり、Ａ＝０．３〜０．５Ｂに設定してある。このように、防虫網２の横線３の直径Ａを上下の横線３間の間隔Ｂ（つまり網目５の上下巾）の寸法の０．３倍以上とすることで、防虫網２において、横線３が網目５における庇の機能をすることになる。
【００１７】
すなわち、建物の外壁１０から庇１１を突出させた場合に、南東〜南〜南西の方位で夏期の直射日光が窓１２から室内に差し込まないようにするには（つまり、庇による窓からの日射遮蔽のためには）、図６において、外壁１０から屋外に突出させる庇１１の出の長さＭを、庇１１の下端から窓１２の下端までの高さＨの０、３倍程度とするのがよいとされている（財団法人建築環境・省エネルギー機構発行の「住宅の省エネルギー基準の解説」参照）。つまり、庇１１の出の長さＭを、庇１１の下端から窓１２の下端までの高さＨの０、３倍以上とすることで、夏期に東南〜南〜南西の方位で、庇１１により窓１２から室内に直射日光Ｘが差し込まないようにできる。
【００１８】
そこで、本発明においては、上記庇１１と窓１２との関係と同様に、防虫網戸１の防虫網２の横線３の直径Ａを上下の横線３間の間隔の寸法Ｂの０．３倍以上とすることで、防虫網戸１が南東〜南〜南西の方位で夏期の直射日光が横線３により遮られて網目５から室内に差し込まないようにして射熱ができる。
【００１９】
一方、本発明においては、防虫網２の横線３の直径Ａを上下の横線３間の間隔の寸法Ｂの０．５倍以下としたのは、防虫網２の横線３の直径Ａを上下の横線３間の間隔の寸法Ｂの０．５倍以上とすると、冬期においても防虫網戸１が南東〜南〜南西の方位で直射日光Ｘが横線３により遮られて網目５から日射取得ができなくなるおそれがあり、また、横線３の直径が必要以上に大きくなったり、上下の横線３間の間隔Ｂが必要以上に狭くなると、材料コストが増大したり、必要な通気量が得られなかったりするので、これらのことを勘案して本発明においては防虫網２の横線３の直径Ａを上下の横線３間の間隔の寸法Ｂの０．５倍以下とするものである。
【００２０】
また、図２に示すように、防虫網２の縦線４の直径Ｃは上記した横線３の直径Ａよりも小さいものであり、また、横線３間の間隔Ｂよりも縦線４間の間隔Ｄを長く設定してある。このように防虫網２の縦線４の直径Ｃは上記した横線３の直径Ａよりも小さく、横線３間の間隔Ｂよりも縦線４間の間隔Ｄを長く設定することで、上記のように防虫網２の横線３の直径Ａを上下の横線３間の間隔の寸法Ｂの０．３〜０．５倍に設定して上記のように夏期に直射日光Ｘが室内に差し込まないようにしたにもかかわらず、防虫機能を確保しながら、通気に必要な網目５の面積を確保することができて、防虫網２を介して十分な通気量が得られるようになっている。
【００２１】
図１、図２に示す実施形態では、例えば、横線３の直径Ａが０．４１ｍｍ、縦線４の直径Ｃが０．２３ｍｍ、で、横線３のピッチ（横線３の中心から隣合う横線３の中心間の寸法Ｅ）及び縦線４のピッチ（縦線４の中心から隣合う縦線４の中心間の寸法Ｆ）がいずれも１．４１１ｍｍ（これは図５の従来例と同じである）で、横線３間の間隔の寸法Ｂが１．００１ｍｍ、縦線４間の間隔の寸法Ｄが１．１８ｍｍに設定してある。ここで本実施形態ではＡ≒０．４Ｂとなっている。
【００２２】
そして、上下に隣合う横線３と、左右に隣合う縦線４に囲まれた隙間部分（つまり網目５）の面積は１．００１ｍｍ×１．１８ｍｍ≒１．２ｍｍ２である。したがって、横線３のピッチ（横線３の中心から隣合う横線３の中心間の寸法Ｅ）及び縦線４のピッチ（縦線４の中心から隣合う縦線４の中心間の寸法Ｆ）を図５の従来例と同じにして１インチ内における横線３、縦線４の本数を従来例と同じにしたものにおいて、本発明の実施例のものはＡ≒０．４Ｂとすることで、上記のように夏期に横線３が庇の機能をして日射が網目５から室内に差し込まないようにしたにもかかわらず、網目５の面積を図４、図５に示す従来例とほぼ同じにできて、通風量が減少することがなく、略同じ通風量を確保できるようになっており、また、網目５を通して屋外から室内への虫の侵入も防止できる。
【００２３】
なお、本発明においては、前述のように防虫性能、通気性能を有し、更に、夏期における直射日光Ｘが網目５から室内に差し込まないように横線３の直径Ａを上下の横線３間の間隔の寸法Ｂの０．３〜０．５倍に設定したものであれば、上記の数値のものに限定されず、また、１インチ内における縦線４、横線３の本数も上記例にのみ限定されない。
【００２４】
また、本発明の防虫網戸１の防虫網２の横線３、縦線４を光反射率の高い明るい材料で形成したり、あるいは防虫網２の屋外側の面に光りの反射層を設けるようにしてもよく。この場合には、防虫網２の横線３、縦線４による直射日光Ｘの反射による熱が室内に入らない効果と、上記のように夏期における横線３の庇機能による直射日光が網目５を介して室内に差し込まないことによる熱が室内に入らない効果とによってよりいっそう、夏期において防虫網戸１により射熱をすることができる。
【００２５】
一方、冬期には夏期に比べて太陽高度が低いので、透光性のサッシ戸７を閉じた状態で、サッシ戸７のガラス越しに防虫網戸１の網目５から直射日光Ｘを取得して室内に熱を取り入れることができる。
【図面の簡単な説明】
【００２６】
【図１】本発明の防虫網戸における防虫網の拡大断面図である。
【図２】同上の防虫網の拡大正面図である。
【図３】同上の防虫網戸の取付け状態の一例を示す断面図である。
【図４】従来例の防虫網戸における防虫網の拡大断面図である。
【図５】従来例の防虫網戸における防虫網の拡大正面図である。
【図６】窓における日射遮蔽に必要な庇の突出長さと窓との関係を示す説明図である。
【符号の説明】
【００２７】
１  防虫網戸
２  防虫網
３  横線
４  縦線
５  網目
【図１】
2006132101.tif 000003
【図２】
2006132101.tif 000004
【図３】
2006132101.tif 000005
【図４】
2006132101.tif 000006
【図５】
2006132101.tif 000007
【図６】
2006132101.tif 000008